(57)【要約】    【課題】  脱硝フィルターを取り外すことなく短期間で清掃できるようにした脱硝フィルターの清掃機器を提供する。    【解決手段】  脱硝フィルターの清掃機器をレール(10)に走行可能に搭載される走行台車(30)、走行台車(30)に吊下げ支持されフィルターユニット(12)のフレーム(12A)内に嵌め込まれる矩形状の機器フレーム(40)及び走行台車(30)に吊下げ支持された機器本体(50)から構成する。機器本体(50)は、軟質のブラスト粒を貯蔵するショットタンク(53)、高圧エアーによってショットタンク(53)内のブラスト粒を脱硝フィルター(13)に向けて分散噴射するショットガン(54)、及び高圧エアーを下方の脱硝フィルター(13)に向けて噴射することによって分散噴射されたブラスト粒を加速させて脱硝フィルター(13)に衝突させるエアーノズル(59)から構成する。【選択図】  図２
2010188323.tif 000002
【特許請求の範囲】
【請求項１】
レールの下方に設けられたフィルターユニットにおける複数の脱硝フィルターを清掃する脱硝フィルターの清掃機器であって、
上記レール(10)に走行可能に搭載される走行台車(30)と、該走行台車(30)に吊下げ支持され上記フィルターユニット(12)のフレーム(12A)内に嵌め込まれる矩形状の機器フレーム(40)と、上記走行台車(30)に吊下げ支持された機器本体(50)とから構成され、
上記機器本体(50)は、軟質のブラスト粒を貯蔵するショットタンク(53)、高圧エアーによって上記ショットタンク(53)内のブラスト粒を下方の脱硝フィルター(13)に向けて分散噴射するショットガン(54)、及び該ショットガン(54)の下方に設けられ、高圧エアーを下方の脱硝フィルター(13)に向けて噴射することによって上記分散噴射されたブラスト粒を加速させて脱硝フィルター(13)に衝突させるエアーノズル(59)から構成されていることを特徴とする脱硝フィルターの清掃機器。
【請求項２】
上記走行台車(30)には、高圧エアーを貯蔵するエアータンク(52)が搭載されている請求項１記載の脱硝フィルターの清掃機器。
【請求項３】
上記エアーノズル(59)とショットガン(54)との間には、脱硝フィルター(13)の目詰まりに起因するブラスト粒を含む高圧エアーの吹き返しを受けるダンバプレート(510)が開閉自在に設けられている請求項１記載の脱硝フィルターの清掃機器。
【請求項４】
上記機器本体(50)と機器フレーム(40)との間の隙間が閉鎖プレート(60)によって閉鎖されている請求項３記載の脱硝フィルターの清掃機器。
【請求項５】
上記機器本体(50)は機器フレーム(40)に対して移動自在に設けられ、上記矩形状の対向する二辺の閉鎖プレート(60)には他方の閉鎖プレート(60)が常時摺接する縦壁面(61)が形成されている請求項４記載の脱硝フィルターの清掃機器。
【請求項６】
上記ブラスト粒は脱硝灰と水との混合物を焼結したブラスト粒である請求項１記載の脱硝フィルターの清掃機器。
【発明の詳細な説明】
【技術分野】
【０００１】
この発明は脱硝フィルターの清掃機器に関し、特に作業者に大きな負担をかけることなく、短い時間で目詰まりを確実に減少させ解消できるようにした機器に関する。
【背景技術】
【０００２】
例えば、火力発電所における重要な施設の１つに脱硝装置がある。この脱硝装置は触媒を担持した複数枚のパンチングメタル製のプレートを積層し、プレートの折り曲げ部によって相互の間隔を保持してフィルターを構成し、このフィルターのユニットを脱硝装置に内蔵し、発電所から排出される排ガスをフィルター内に導入して排ガスに含まれるアンモニアなどの窒素酸化物を除去することが行われる。しかし、この種のフィルターでは運転時間がある程度長くなるとフィルターに目詰まりが発生して処理効率が低下する。
【０００３】
従来、作業者がプレートの間にブラシを差し込んで手作業で清掃するか、あるいはノズルなどによってフィルターにエアーを吹き付け、目詰まりを減少させ解消することが行われている（特許文献１、特許文献２）。
【０００４】
しかし、脱硝フィルターには粉塵などが強固に付着していることが多く、手作業によるブラッシングでは作業者の負担が大きい。また、手作業によるブラッシングやエアーブローによる方法では目詰まりを解消するのに１カ月程度の期間を必要とする。                  
【０００５】
他方、本件出願人は、ブラシを回転させることによってフィルターのプレートに付着した粉塵を掻き落とすとともに、ブラシの回転軸から周囲にエアーを吐出させ、もって作業者に大きな負担をかけることなく、短時間でフィルターの目詰まりを減少させ解消できるようにしたフィルターの清掃機器を開発し、出願するに至った（特許文献３）。
【先行技術文献】
【特許文献】
【０００６】
【特許文献１】特開平０７−３１８０４０号公報
【特許文献２】特開平０７−１１６４４０号公報
【特許文献３】特開２００８−６２１７１号公報
【発明の概要】
【発明が解決しようとする課題】
【０００７】
しかし、特許文献３記載のフィルターの清掃機器ではフィルターユニットを脱硝装置から取り外して清掃する必要があり、フィルターユニットが大型の場合には脱硝装置の休止期間内に清掃が完了しないことが懸念された。
【０００８】
本発明はかかる問題点に鑑み、脱硝装置からフィルターユニットを取り外すことなく清掃をすることができ、フィルターユニットが大型の場合にも清掃に必要な期間を大幅に短縮できるようにしたフィルターの清掃システムを提供することを課題とする。
【課題を解決するための手段】
【０００９】
そこで、本発明に係る脱硝フィルターの清掃機器は、レールの下方に設けられたフィルターユニットにおける複数の脱硝フィルターを清掃する脱硝フィルターの清掃機器において、上記レールに走行可能に搭載される走行台車と、該走行台車に吊下げ支持され上記フィルターユニットの矩形状フレーム内に嵌め込まれる矩形状の機器フレームと、上記走行台車に吊下げ支持された機器本体とから構成され、上記機器本体は、軟質のブラスト粒を貯蔵するショットタンク、高圧エアーによって上記ショットタンク内のブラスト粒を下方の脱硝フィルターに向けて分散噴射するショットガン、及び該ショットガンの下方に設けられ、高圧エアーを下方の脱硝フィルターに向けて噴射することによって上記分散噴射されたブラスト粒を加速させて脱硝フィルターに衝突させるエアーノズルから構成されていることを特徴とする。
【００１０】
本発明の特徴の１つはフィルターユニットを支持する上下のレールのうち、上側のレールに走行台車を搭載し、走行台車に機器本体を吊下げ支持し、軟質のブラスト粒を下方の脱硝フィルターに向けて分散噴射した後、高圧エアーを下方の脱硝フィルターに向けて噴射することによってブラスト粒を加速させて脱硝フィルターに衝突させるようにした点にある。
【００１１】
これにより、フィルターユニットを装置にセットしたまま、つまり取り外すことなく清掃することができ、フィルターユニットが大型の場合にも短期間、例えば脱硝装置の休止期間内に清掃を完了することができる。
【００１２】
使用したブラスト粒は回収して再使用するのが好ましい。そこで、使用済みのブラスト粒と除去された脱硝灰を吸引し、ブラスト粒の製造原料に用いるのがよい。その場合には産業廃棄物として処理する必要のあった脱硝灰を有効利用することができ、廃棄物の処理コストを低減できる。しかも、この脱硝灰を焼結したブラスト粒は脱硝フィルターの付着物に由来するものであり、何らかの原因でブラスト粒がフィルター内に残存しても、着火し燃焼するおそれはない。なお、このブラスト粒には分離した脱硝灰と同様の特性を有する他の産業廃棄物の粉体を焼結して用いることもできる。
【００１３】
また、高圧エアーにブラスト粒を混合して噴射させる方法が考えられるが、計量したブラスト粒を高圧エアーに混合することは難しい。そこで、本発明では計量したブラスト粒を分散噴射した後、高圧エアーを噴射させてブラスト粒を加速するようにしている。
【００１４】
高圧エアーは清掃機器の外部からエアーホース等によってショットガン及びエアーノズルに供給してもよいが、走行台車にエアータンクを搭載して高圧エアーを貯蔵するようにしてもよい。
【００１５】
脱硝フィルターに目詰まりが発生している場合、ブラスト粒を含む高圧エアーが吹き返され、雰囲気を汚染するおそれがある。そこで、エアーノズルとショットガンとの間には、脱硝フィルターの目詰まりに起因するブラスト粒を含む高圧エアーの吹き返しを受けるダンパプレートを開閉自在に設け、必要な時にダンパプレートを閉じて吹き返しを防止するのがよい。
【００１６】
機器本体と機器フレームとの間の隙間ができる場合、その隙間を閉鎖プレートによって閉鎖するのがよい。
【００１７】
機器本体を機器フレームよりも小さく形成し、機器本体を移動させ、異なる位置からブラスト粒を含む高圧エアーを噴射させるようにすると、脱硝フィルターに付着した脱硝灰をより確実に除去できる。この場合、閉鎖プレートによって隙間を完全に閉鎖することが難しくなる。
【００１８】
そこで、機器本体は矩形状の機器フレームに対して移動自在に設け、矩形状の対向する２辺の閉鎖プレートには他方の閉鎖プレートが常時摺接する縦壁面を形成すると、隙間を完全に閉鎖できる。
【図面の簡単な説明】
【００１９】
【図１】本発明に係る脱硝フィルターの清掃機器の好ましい実施形態を示す概略側面構成図である。
【図２】上記実施形態を示す正面構成図である。
【図３】上記実施形態における機器本体のショットタンクを示す概略図である。
【図４】上記実施形態におけるショットガンの構造を示す図である。
【図５】上記実施形態における閉鎖プレートを示す図である。
【図６】上記清掃システムが適用されるフィルターの１例を示す図である。
【発明を実施するための形態】
【００２０】
以下、本発明を図面に示す具体例に基づいて詳細に説明する。図１ないし図６は本発明に係る脱硝フィルターの清掃機器の好ましい実施形態を示す。図において、脱硝装置は上側レール１０及び下側レール（図示せず）の間にフィルターユニット１２を相互に間隔をあけて多段に配置して構成されている。
【００２１】
フィルターユニット１２は複数の脱硝フィルター１３を縦横に配列して構成され、各脱硝フィルター１３は本体部分が触媒を担持したパンチングメタル製の複数のプレート１３Ａを積層し、プレート１３Ａの折り曲げ部によってプレート１３Ａの間を相互に所定の間隔に保持した構造をなし、この本体部分をケース１３Ｃに内蔵して構成されている。
【００２２】
この脱硝装置には本例の脱硝フィルターの清掃機器２０が利用できる。この清掃機器２０において、上側レール１０には走行台車３０が走行自在に搭載され、走行台車３０には駆動モータ３１によって車輪３２を回転駆動して走行できるようになっている。
【００２３】
走行台車３０には矩形状の機器フレーム４０がシリンダ４１によって吊下げ支持され、機器フレーム３０はフィルターユニット１２のフレーム１２Ａに嵌まり込むようになっている。
【００２４】
また、走行台車３０には機器本体５０が支柱５１によって吊下げ支持され、シリンダ５１１によって左右方向に移動されるようになっている。この機器本体５０には高圧エアーを貯留する左右一対のエアータンク５２が搭載され、この左右のエアータンク５２の間にはブラスト粒を貯留する複数のショットタンク５３が間隔をあけて配置されている。
【００２５】
ショットタンク５３内のブラスト粒は回収した脱硝灰に水を混合して、例えば２〜３ｍｍ程度の大きさの円柱、直方体あるいは三角錐などの形状に焼結して製造されている。このショットタンク５３の下方にはブラスト粒を噴射する計量機つきの複数のショットガン５４が設けられ、複数の各ショットガン５４にはエアータンク５２から延びるエアー通路５５が接続され、ショットガン５４の下方には噴射ガイド５６が設けられている。
【００２６】
また、エアータンク５２の側壁面には複数の第２のエアー通路５７が接続されるとともに、エアータンク５２内にはエアー配管５８が延び、エアー配管５８には第２のエアー通路５７が接続されて下方に延び、第２のエアー通路５７には複数のエアーノズル５９が接続され、エアーノズル５９は格子点の位置にレイアウトされている。
【００２７】
また、エアーノズル５９とエアータンク５２の間にはダンパプレート５１０が開閉自在に設けられ、ダンパプレート５１０は閉じた時にエアーノズル５９の上方を封鎖するようになっている。
【００２８】
さらに、機器本体５０と機器フレーム４０との間の隙間には閉鎖プレート６０が傾斜して設けられ、矩形状の対向する二辺の閉鎖プレート６０には縦壁面６１が設けられ、他方の対向する二辺の閉鎖プレート６０が常時摺接するようになっている。
【００２９】
エアータンク５２には外部のエアー源からのエアーホース（図示せず）が接続され、エアーが蓄圧されるようになっている。
【００３０】
脱硝フィルター１３を清掃する場合、本例の清掃機器２０の走行台車３０を上側レール１０に搭載し、脱硝フィルター１３の直上方にセットし、シリンダ４１を伸長させ、機器フレーム４０をフィルターユニット１２のフレーム１２Ａに嵌まり込ませる一方、エアータンク５２に高圧エアーを供給して貯留する。
【００３１】
次に、ショットタンク５３内のブラスト粒を計量して複数の各ショットガン５４に供給し、ショットガン５４に高圧エアーを供給してブラスト粒を脱硝フィルター１３に向けて噴射させ、噴射ガイド５６によって分散させる。その直後に、エアーノズル５９からエアータンク５２内の高圧エアーを噴射させると、ブラスト粒を含む高圧エアーが脱硝フィルター１３に向けて吹き付けられ、脱硝フィルター１３に付着した脱硝灰に衝突して脱硝灰が除去される。
【００３２】
脱硝フィルター１３に目詰まりが発生している場合、高圧エアーを噴射すると、脱硝灰やブラスト粒を含んだ高圧エアーの吹き返しが発生し、作業者に吹きかかるとともに、雰囲気を汚す。そこで、ブラスト粒が分散噴射され、エアーノズル５９の位置を通過した直後にダンパプレート５１０を閉じ、エアーノズル５９から高圧エアーを噴射させると、脱硝灰やブラスト粒を含んだ高圧エアーの吹き返しは防止できる。このとき、閉鎖プレート６０が機器本体５０と機器フレーム３０との間を閉鎖しているので、高圧エアーが洩れることはない。
【００３３】
脱硝フィルター１３の目詰まりが解消した後はダンパプレート５１０は必ずしも閉鎖する必要はない。機器本体５０を移動させてブラスト粒の吹き付けを繰り返し、脱硝フィルター１３の清掃を行う。
【００３４】
除去された脱硝灰はブラスト粒とともに回収し、ブラスト粒の原料として用いる。
【００３５】
火力発電所における大型の脱硝装置の脱硝フィルターを従来の方法によって清掃する場合、１ヶ月程度の期間が必要であった。これに対し、本例の方法によって清掃すると、１７時間で清掃を完了させることができた。
【符号の説明】
【００３６】
１０      レール
１２      フィルターユニット
１２Ａ    ケース
１３      脱硝フィルター
２０      清掃機器
３０      走行台車
４０      機器フレーム
５０      機器本体
５２      エアータンク
５３      ショットタンク
５４      ショットガン
５９      エアーノズル
５１０    ダンパプレート
６０      閉鎖プレート
【図１】
2010188323.tif 000003
【図２】
2010188323.tif 000004
【図３】
2010188323.tif 000005
【図４】
2010188323.tif 000006
【図５】
2010188323.tif 000007
【図６】
2010188323.tif 000008